(57)【要約】【課題】本発明はドキュメントサイズ検知装置を具えた自動フィード装置を提供する。【解決手段】本発明に係るドキュメントサイズ検知装置を具えた自動フィード装置は、二枚のガイドプレート、二つの長方形貫通孔、ラック移動装置及び複数のセンサーを含み、ガイドプレートはストッパーとラックを有し、ガイドプレートの底部は更にリブ板を含み、本発明はガイドプレートを移動させてリブ板をセンサーの中に移動させてドキュメントのサイズを検知することができる。【選択図】図６
2009012978.tif 000002
【特許請求の範囲】
【請求項１】
ドキュメントサイズ検知装置を具えた自動フィード装置であって、
前記自動フィード装置はドキュメントを置くための取込用トレーを含み、また前記自動フィード装置はドキュメントサイズ検知装置を含み、前記ドキュメントサイズ検知装置は、
前記ドキュメントを前記取込用トレーの表面に固定するための第一ストッパーと、前記取込用トレーの底部に設置した第一ラックと、前記取込用トレーの前記底部に設置したリブ板を含む第一ガイドプレートと、
前記取込用トレーの前記表面に固定するための第二ストッパーと、前記取込用トレーの前記底部に設置した第二ラックを含む第二ガイドプレートと、
前記取込用トレーにあって、前記第一ガイドプレートが貫通して前記第一ストッパーを前記取込用トレーの前記表面に位置させ、且つ前記第一ラックと前記リブ板が前記取込用トレーの前記底部に位置する第一長方形貫通孔と、
前記取込用トレーにあって、前記第二ガイドプレートが貫通して前記第二ストッパーを前記取込用トレーの前記表面に位置させ、且つ前記第二ラックが前記取込用トレーの前記底部に位置する第二長方形貫通孔と、
第一ラックと第二ラックを噛み合せて前記第一、第二ガイドプレートをそれぞれ第一、第二長方形貫通孔の中を移動させるためのラック移動装置と、
前記取込用トレーの前記底部に設置し、各々に光発射装置と光受信装置を具え、前記第一ガイドプレートを移動させることで前記リブ板を前記光発射装置と前記光受信装置の間に移動させる複数のセンサーを含むことを特徴とするドキュメントサイズ検知装置を具えた自動フィード装置。
【請求項２】
前記第一ガイドプレートの前記第一ストッパー、前記第一ラック及び前記リブ板が一体成型であることを特徴とする請求項1に記載するドキュメントサイズ検知装置を具えた自動フィード装置。
【請求項３】
前記第二ガイドプレートの前記第二ストッパーと前記第二ラックが一体成型であることを特徴とする請求項1に記載するドキュメントサイズ検知装置を具えた自動フィード装置。
【請求項４】
前記ラック移動装置はピニオン、回転盤及び回転軸からなることを特徴とする請求項1に記載するドキュメントサイズ検知装置を具えた自動フィード装置。
【発明の詳細な説明】
【技術分野】
【０００１】
本発明は自動フィード装置に関し、特にドキュメントサイズ検知装置を設置した自動フィード装置に関する。
【背景技術】
【０００２】
一般の自動フィード装置はスキャン装置と組合わせて使用されるが、Ａ４サイズのドキュメントが最も広く使用されている関係上、大部分の自動フィード装置の取込及び取出トレーは何れも専らＡ４サイズの設計となっており、こうした状況ではドキュメントサイズ検知装置は不要である。然しながら、Ａ３サイズをフィードできる自動フィード装置の場合、大きなＡ３サイズ以外でもＡ４サイズのドキュメントを横向きの取込方法でフィード、スキャニング（Ａ３サイズはＡ４サイズの丁度２倍）することもできるので、この状況ではドキュメントサイズ検知装置を取付けてスキャン待機中のドキュメントがＡ４サイズかＡ３サイズであるかを判断する必要がある。勿論、Ａ５、Ｂ４及びＢ６等のようなサイズのスキャニングを提供できる状況でもドキュメントサイズ検知装置が必要である。
【０００３】
台湾特許第５８８５４５号公告は自動フィード装置と組合わせたドキュメントサイズ検知装置を提案し、図１は第５８８５４５号台湾特許公告のドキュメントサイズ検知装置が自動フィード装置に組合わされた構造概略図である。自動フィード装置の取込用トレー１０の両側には各々第一ペーパーガイド装置１４及び第二ペーパーガイド装置１６を設置して、第一ペーパーガイド装置１４及び第二ペーパーガイド装置１６が移動して互いに接近したり離れたすることができ、取込トレー１０はドキュメントを置くペーパーセット面１３を具え、前記第一ペーパーガイド装置１４及び第二ペーパーガイド装置１６はペーパーセット面１３から突出している。そのほかにペーパーセット面１３の裏面は取込用トレー１０の底部１５と定義し、また取込用トレー１０の底部１５には別途ドキュメントサイズ検知装置２０を設置する。
【０００４】
図２は第５８８５４５号台湾特許公告のドキュメントサイズ検知装置の構造概略図である。底部１５に設置したドキュメントサイズ検知装置２０はセンサー部品モジュール３０、第一チャネル３３、第二チャネル３５、第三チャネル３７及び複数の突起リブ４２を含み、また突起リブ４２は第一ペーパーガイド装置１４に沿って移動することができる。センサー部品モジュール３０はまた第一センサー部品セット３２、第二センサー部品セット３４及び第三センサー部品セット３６を含み、第一センサー部品セット３２は第一センサー部品３２Ａ、３２Ｂから構成され、また第一チャネル３３は第一センサー部品３２Ａと３２Ｂの間にあり、第二センサー部品セット３４は第二センサー部品３４Ａと３４Ｂで構成され、第二チャネル３５は第二センサー部品３４Ａと３４Ｂの間にあり、第三センサー部品セット３６は第三センサー部品３６Ａ、３６Ｂで構成され、第三チャネル３７は第三センサー部品３６Ａと３６Ｂの間にある。
【０００５】
異なったサイズのドキュメント（図示せず）が取込用トレー１０（図１に示す）に置かれた場合、第一ペーパーガイド装置１４及び第二ペーパーガイド装置１６をドキュメントのサイズに基づいて、ドキュメントを平坦に取込用トレー１０に置いた位置まで移動すると、第一ペーパーガイド装置１４が移動し、複数の突起リブ４２もこれにつれて移動し、ドキュメントサイズが異なるのに応じて、第一ペーパーガイド装置１４の位置も変わり、複数の突起リブ４２の位置もつれて変わり、さらに複数の突起リブ４２と複数のチャネルの位置には複数の状況が起こり、従来のドキュメントサイズ検知装置２０（図１に示す）は、突起リブ４２がチャネル内に進入するか否かの複数の状況によりドキュメントのサイズを判断する。
【０００６】
閉回路状態のデジタル信号をロジック１、開回路状態のデジタル信号をロジック０と定義し、且つこの定義をドキュメントサイズ検知装置２０に設定する。複数の突起リブ４２が何れも第一チャネル３３、第二チャネル３５及び第三チャネル３７内に進入していない場合、即ち第一センサー部品セット３２、第二センサー部品セット３４及び第三センサー部品セット３６が突起リブ４２でブロックされずにどれも閉回路状態を呈することを示していることで、ドキュメントサイズ検知装置２０は３ビットのデジタル信号、即ち「１１１」をキャッチする。
【０００７】
第一センサー部品セット３２が突起リブ４２にブロックされて開回路状態を呈すると、第二センサー部品セット３４及び第三センサー部品セット３６は突起リブ４２にブロックされていないので何れも閉回路状態を呈し、ドキュメントサイズ検知装置２０は３ビットのデジタル信号「０１１」をキャッチする。このように類推すると、全部で８（２の３乗）種類生じることとなるので、８種類のドキュメントのサイズを判断することが出来る。然しながら、従来のドキュメントサイズ検知装置２０の構造は複雑過ぎる上に、どの種のドキュメントであるかを表すのに他に３ビットのデジタル信号を定義する必要があり、構造面で複雑であるばかりでなく、デジタル回路システムも複雑極まりなく、経済的効果に全く見合わない。
【発明の開示】
【発明が解決しようとする課題】
【０００８】
本発明の目的はドキュメントサイズ検知装置を具えた自動フィード装置を提供することにあり、特に簡易構造のドキュメントサイズ検知装置を具えた自動フィード装置に関する。
【課題を解決するための手段】
【０００９】
好ましい実施例において、本発明はドキュメントサイズ検知装置を具えた自動フィード装置を提案し、自動フィード装置はドキュメントを置くための取込用トレーを含み、その特徴は自動フィード装置がドキュメントサイズ検知装置を含むことにあり、ドキュメントサイズ検知装置は、ドキュメントを取込用トレーの表面に固定するための第一ストッパーと取込用トレーの底部に設置する第一ラックと取込用トレーの底部に設置するリブ板からなる第一ガイドプレートと、取込用トレーの表面に固定するための第二ストッパーと取込用トレーの底部に設置する第二ラックからなる第二ガイドプレートと、取込用トレーにあって、第一ガイドプレートが貫通して第一ストッパーを取込用トレーの表面に位置させ、且つ第一ラックとリブ板が取込用トレーの底部に位置する第一長方形貫通孔と、取込用トレーにあって、第二ガイドプレートが貫通して第二ストッパーを取込用トレーの表面に位置させ、且つ第二ラックが取込用トレーの底部に位置する第二長方形貫通孔と、第一ラックと第二ラックを噛み合せて第一、第二ガイドプレートをそれぞれ第一、第二長方形貫通孔の中を移動させるためのラック移動装置と、取込用トレーの底部に設置し、各々に光発射装置と光受信装置を具え、第一ガイドプレートを移動させることでリブ板を光発射装置と光受信装置の間に移動させる複数のセンサーを含む。
【００１０】
好ましい実施例において、第一ガイドプレートの第一ストッパー、第一ラック及びリブ板が一体成型である。
【００１１】
好ましい実施例において、第二ガイドプレートの第二ストッパーと第二ラックが一体成型である。
【００１２】
好ましい実施例において、ラック移動装置はピニオン、回転盤及び回転軸からなる。
【発明を実施するための最良の形態】
【００１３】
本発明を次に図面により詳細に説明する。
【実施例】
【００１４】
従来技術には複雑構造及びデジタル回路の欠点があることを考慮して、本発明は従来技術に不足する点を改善できるドキュメントサイズ検知装置を具えた自動フィード装置を提案する。図３は本発明の自動フィード装置の構造概略図である。自動フィード装置１００にある取込用トレー１４０にドキュメントサイズ検知装置１１０を設置し、取込用トレー１４０の表面１４０１にドキュメント（図示せず）を置き、ドキュメントサイズ検知装置１１０は取込用トレー１４０の中に設置し、またドキュメントサイズ検知装置１１０は、第一ガイドプレート１２０、第二ガイドプレート１３０、ラック移動装置（図示せず）及び複数のセンサー１８０（図示せず）を含み、第一ガイドプレート１２０は第一ストッパー１２０１、第一ラック１２０２及びリブ板（図示せず）を含み、第二ガイドプレート１３０は第二ストッパー１３０１、第二ラック１３０２を含み、また取込用トレー１４０の表面１４０１には第一長方形貫通孔１５０と第二長方形貫通孔１６０を設置する。
【００１５】
第一ガイドプレート１２０の第一ストッパー１２０１、第一ラック１２０２及びリブ板は一体成型であって、第二ガイドプレート１３０の第二ストッパー１３０１及び第二ラック１３０２もまた一体成型である。第一ガイドプレート１２０は第一長方形貫通孔１５０を貫通して第一ストッパー１２０１を取込用トレー１４０の表面１４０１に位置させて、且つ第一ラック１２０２及びリブ板は取込用トレー１４０の底部（図示せず）に位置する。第二ガイドプレート１３０は第二長方形貫通孔１６０を貫通して第二ストッパー１３０１を取込用トレー１４０の表面１４０１に位置させて、且つ第二ラック１３０２は取込用トレー１４０の底部に位置する。取込用トレー１４０の底部の第一ラック１２０２及び第二ラック１３０２はラック移動装置（図示せず）と噛み合わさり、ラック移動装置は第一ストッパー１２０１と第二ストッパー１３０１を取込用トレー１４０上に移動させて、各種サイズのドキュメントを取込用トレー１４０に置くことができる。
【００１６】
図４は本発明の好ましい実施例のドキュメントサイズ検知装置の部分構造概略図である。図では第一ガイドプレート１２０の第一ストッパー１２０１、第一ラック１２０２及びリブ板１２０３が一体成型であることが明確に分かり、また第一ラック１２０２はラック移動装置１７０に噛み合わさり、ラック移動装置１７０はピニオン（図示せず）、回転盤１７０２及び回転軸１７０３を含む。図４には別途それぞれ第一センサー１８０と第二センサー１８１の二組のセンサーがあり、第一センサー１８０は第一光発射装置１８０１と第一光受信装置１８０２を具え、また第二センサー１８１には第二光発射装置１８１１と第二光受信装置１８１２を具える。文字通り、光発射装置はビームを発射し、また光発射装置に対応する光受信装置は前記ビームを受信する。
【００１７】
続いてラック移動装置の構造を説明する。図５は本発明の好ましい実施例のラック移動装置の構造概略図である。取込用トレーの底部１４０２にラック移動装置１７０を設置し、ラック移動装置１７０のラック１７０１は第一ラック１２０２及び第二ラック１３０２とを噛合わせ、ユーザーが第一ガイドプレートをプッシュすると、第一ラック１２０２と第二ラック１３０２の噛合わせによって第二ガイドプレートもそれにつれて同時に移動する。回転盤１７０２はラック１７０１を固定し、また回転軸１７０３はラック１７０１と回転盤１７０２を取込用トレーの底部１４０２に固定してラック移動装置１７０を正常に作動させることができる。
【００１８】
図６は本発明の好ましい実施例のドキュメントサイズ検知装置の底部から見た構造概略図である。本好ましい実施例ではＡ３並びにＡ４サイズのドキュメントを検知できるドキュメントサイズ検知装置１１０を提案し、図６では、第一ガイドプレート１２０が第一長方形貫通孔１５０を貫通して第一ガイドプレート１２０の第一ストッパー１２０１を取込用トレーの表面に突出させると共に、第一ラック１２０２及びリブ板１２０３は取込用トレーの底部１４０２に位置する。第一ラック１２０２と第二ラック１３０２はラック移動装置１７０に噛み合わさり、第一ガイドプレート１２０と第二ガイドプレートの同時移動はラック移動装置１７０に制御される。取込用トレーの底部１４０２に別途第一センサー１８０及び第二センサー１８１の二組のセンサーを設置し、第一センサー１８０は第一光発射装置１８０１と第一光受信装置１８０２を含み、第二センサー１８１は第二光発射装置１８１１と第二光受信装置１８１２を含み、第一センサー１８０はＡ３サイズのドキュメント検知用で、第二センサー１８１はＡ４サイズのドキュメント検知用である。センサーの設置位置はスキャニングされるドキュメントのサイズで決まる。Ａ３サイズを検知する第一センサー１８０を例に取ると、第一ガイドプレート１２０と第二ガイドプレート（図示せず）間の距離をＡ３サイズに相当するドキュメントの幅約２９７ミリメートルに調整し、第一センサー１８０を第一ガイドプレート１２０のリブ板１２０３のある位置の若干下方に設置し、リブ板１２０３を第一光発射装置１８０１及び第一光受信装置１８０２の間に位置させる。同様の原則に基づきその他のサイズを検知するセンサーを設置することもできる。
【００１９】
続いてドキュメントサイズ検知装置１１０の作動状況について説明する。ドキュメントをスキャンしようとする際、ユーザーは第一ガイドプレート１２０を移動して第一ガイドプレート１２０と第二ガイドプレート間の距離を前記ドキュメント幅に等しくして、ドキュメントをその上に置いて、第一ガイドプレート１２０が移動すると同時に、第一ガイドプレート１２０のリブ板１２０３も第一ガイドプレート１２０の移動につれて第一センサー１８０の第一光発射装置１８０１と第一光受信装置１８０２の間を通過して第一光発射装置１８０１が発射したビームを遮断する。このとき第一光発射装置１８０１はビームを受信することが出来ずにＡ３サイズ信号を出力して、ドキュメントサイズ検知装置１１０に前記ドキュメントのサイズをキャッチさせることができる。
【００２０】
図７は本発明の別途好ましい実施例のドキュメントサイズ検知装置の底部から見た構造概略図である。前記好ましい実施例においてドキュメントサイズ検知装置１１０はＡ３、Ａ４及びＡ５サイズの３種類のドキュメントのサイズを識別することができるので、三組のセンサーはそれぞれＡ３サイズを検知する第一センサー１８０（第一光発射装置１８０１と第一光受信装置１８０２を含む）、Ａ４サイズを検知する第二センサー１８１（第二光発射装置１８１１と第二光受信装置１８１２を含む）及びＡ５サイズを検知する第三センサー１８２（第三光発射装置１８２１と第一光受信装置１８２２を含む）が必要になり、Ａ３サイズを検知する第一センサー１８０の状況は上段にて提示している関係上、ここではＡ４並びにＡ５サイズの状況について補足説明する。Ａ４サイズのドキュメントを検知するための第二センサー１８１を設置しようとする場合、第一ガイドプレート１２０と第二ガイドプレート（図示せず）間の距離をＡ４サイズに相当するドキュメントの幅約２１０ミリメートルに調整し、第二センサー１８１を第一ガイドプレート１２０のリブ板１２０３のある位置の若干下方に設置し、リブ板１２０３を第二光発射装置１８１１及び第二光受信装置１８１２の間に位置させる。第三センサー１８２も同様の原理で、図７で示すように、第一ガイドプレート１２０と第二ガイドプレート（図示せず）間の距離をＡ５サイズに相当するドキュメントの幅約１４８ミリメートルに調整し、第三センサー１８２を第一ガイドプレート１２０のリブ板１２０３のある位置の若干下方に設置し、リブ板１２０３を第三光発射装置１８２１及び第三光受信装置１８２２の間に位置させる。
【００２１】
本発明が提案するドキュメントサイズ検知装置を具えた自動フィード装置は従来技術の高度に複雑な構造とデジタル回路システムを改善し、本発明はガイドプレートの底部にリブ板を取付けるだけで、ビームを遮断して光受信装置がビームを受信できないことによりドキュメントサイズをキャッチする。従来技術にあるような何本ものチャネルを必要とせず、リブ板を通すことができるチャネルだけあればよく、また前記チャネル上に三組以上のセンサーを取付けて、幾種類かのサイズに限定されることなく、更に多くの異なるサイズのドキュメントを検知でき、ユーザーのニーズに応じてセンサーの設置位置を容易に変更することができることで、ユーザーにより多くの使用と選択の機会を提供する。このほか、本発明はどの光受信装置がビームを受信していないかだけによって、検知しようとするドキュメントのサイズを知ることが出来、従来技術のような複雑なデジタル回路分析も必要がなく、上記の各項目から本発明が従来技術の複雑性というデメリットを確実に改善していることがわかる。
【００２２】
上記内容は本発明の好ましい実施例に過ぎず、本発明の特許請求の範囲を限定するものではなく、従って本発明で開示した趣旨を逸脱しない範囲において完成した等価変更若しくは補正は、全て本案における特許請求の範囲内に含まれるものとする。
【図面の簡単な説明】
【００２３】
【図１】従来のドキュメントサイズ検知装置をスキャン装置に組合わせた構造概略図である。
【図２】従来のドキュメントサイズ検知装置の構造概略図である。
【図３】本発明の自動フィード装置の好ましい実施例の構造概略図である。
【図４】本発明の好ましい実施例のドキュメントサイズ検知装置の部分構造概略図である。
【図５】本発明の好ましい実施例のラック移動装置の構造概略図である。
【図６】本発明の好ましい実施例のドキュメントサイズ検知装置の底部から見た構造概略図である。
【図７】本発明の別途好ましい実施例のドキュメントサイズ検知装置の底部から見た構造概略図である。
【符号の説明】
【００２４】
１０、１４０            取込用トレー
１３、１４０１          表面
１４、１６              ペーパーガイド装置
１５、１４０２          底部
２０、１１０            ドキュメントサイズ検知装置
３０                    センサー部品モジュール
３２、３４、３６        センサー部品セット
３２Ａ、３２Ｂ、３４Ａ、
３４Ｂ、３６Ａ、３６Ｂ  センサー部品
３３、３５、３７        チャネル
４２                    突起リブ            
１００                  自動フィード装置
１２０、１３０          ガイドプレート
１２０１、１３０１      ストッパー
１２０２、１３０２      ラック
１２０３                リブ板
１５０、１６０          長方形貫通孔
１７０                  ラック移動装置
１７０１                ピニオン
１７０２                回転盤
１７０３                回転軸
１８０、１８１、１８２  センサー
１８０１、１８１１、１８２１    光発射装置
１８０２、１８１２、１８２２    光受信装置
【図１】
2009012978.tif 000003
【図２】
2009012978.tif 000004
【図３】
2009012978.tif 000005
【図４】
2009012978.tif 000006
【図５】
2009012978.tif 000007
【図６】
2009012978.tif 000008
【図７】
2009012978.tif 000009